(57)【要約】【課題】  音量を適度に低減しつつ、アコースティックドラムの演奏感覚に近い感覚を得ることができるドラムヘッドを提供する。【解決手段】  ドラムヘッド１は、メッシュ部１０、パッチ部２０およびフレッシュフープ３０を有する。メッシュ部１０は、通気性を有するメッシュ状の部材である。メッシュ部１０はフレッシュフープ３０によって保持される。パッチ部２０は、通気性を有さないフィルム状の部材である。パッチ部２０は、円形に加工されている。パッチ部２０の直径は、メッシュ部１０の直径の約１／２となっている。パッチ部２０は、ドラムヘッド１の中央に配置されている。パッチ部２０は、メッシュ部１０と一体となって変形可能なように熱溶着によってメッシュ部１０に固着されている。【選択図】図１
2018045174.tif 000002
【特許請求の範囲】
【請求項１】
フレッシュフープに外縁が固定されたメッシュ部と、
前記メッシュ部に固着され、前記メッシュ部の一部の領域の通気を妨げるフィルム状のパッチ部と、
を有することを特徴とするドラムヘッド。
【請求項２】
前記パッチ部は、前記メッシュ部の中心を含む領域に配置されていることを特徴とする請求項１に記載のドラムヘッド。
【請求項３】
前記パッチ部は、少なくとも前記パッチ部の周縁が前記メッシュ部に固着されていることを特徴とする請求項１または２に記載のドラムヘッド。
【請求項４】
前記パッチ部にその表裏を貫通する小穴を設けたことを特徴とする請求項１から３のいずれか１の請求項に記載のドラムヘッド。
【請求項５】
フレッシュフープに外縁が固定されたメッシュ部を有し、
前記メッシュ部における前記メッシュ部が張られるシェルの開口端の開口面の一部を覆う領域のメッシュの隙間を、硬化させた樹脂によって埋めたこと
を特徴とするドラムヘッド。
【発明の詳細な説明】
【技術分野】
【０００１】
この発明は、アコースティックドラムのシェルの開口端に張られるドラムヘッドに関する。
【背景技術】
【０００２】
アコースティックドラム（以下、単にドラムという）の演奏時には、大音量の音が発生する。ドラムの演奏練習を自宅等で行う場合には、近隣の迷惑にならないように音量を低減することが好ましい。
【０００３】
音量を低減する手段の第１の例として、ドラムのシェルの開口端に張られるドラムヘッドにスポンジ材を接触させて発生音をミュートすることが挙げられる。この態様によれば、ドラムヘッドの振動をスポンジ材によって早く減衰させることができるため、サステイン（余韻）を短くすることができる。しかし、この態様では、打撃の瞬間の振動を十分に小さくすることができず、打撃の瞬間の音量レベルを小さくすることができない。
【０００４】
音量を低減する手段の第２の例として、通気性を有するメッシュ（網）状の素材で構成したドラムヘッドをシェルの開口端に張って演奏することが挙げられる。この態様では、ドラムヘッドのメッシュの隙間において空気が通るため、ドラムヘッドに打撃が与えられてドラムヘッドが振動しても、そのドラムヘッドの振動は、空気にあまり伝わらない。このため、この態様によれば、振動に応じた音があまり放射されず、ドラム音の音量を十分に低減することができる。
【先行技術文献】
【特許文献】
【０００５】
【特許文献１】特開２０１４−４８６５１号公報
【発明の概要】
【発明が解決しようとする課題】
【０００６】
しかし、メッシュ状素材で構成したドラムヘッドに対して演奏操作（具体的には打撃）が行われたときのドラム音の音量は極端に小さいため、近隣の迷惑にならない点では良いかもしれないが、演奏者には、適度な音量の音が出て欲しいという不満があった。また、メッシュ状素材で構成したドラムヘッドには、演奏操作を行った際の感触（すなわち打感）が通常のドラムヘッドにおける感触からかけ離れたものとなる、という問題がある。また、メッシュ状素材で構成したドラムヘッドには、ドラム音の音質が通常のドラム音の音質からかけ離れたものとなる、という問題もある。このように、メッシュ状素材で構成したドラムヘッドでは、音量が極端に小さく打感や音質が通常のドラムヘッドと大きく異なるため、演奏技術の上達は効果的に達成されない。
【０００７】
特許文献１には、メッシュ（網）状素材から構成された一対の外層ヘッドと、それらの間に配置された中層ヘッドとからなるドラムヘッドが開示されている。中層ヘッドは、シェルの内周円よりも小さく形成されており、外層ヘッドと同様に通気性を有するメッシュ状素材から構成されている。また、中層ヘッドは、外層ヘッドの各々に接合されていない。特許文献１には、このドラムヘッドを用いれば、打撃音を低減させつつ、通常のドラムヘッドを打撃した際の感触に近似した打感を得ることができる、と記載されている。
【０００８】
しかし、特許文献１のドラムヘッドを用いたとしても、ドラム音の音量は極端に小さいままであり、打感も通常のドラムヘッドを打撃した際の打感に十分に近いものではなかった。また、特許文献１のドラムヘッドでは、ドラム音の音質も通常のドラム音の音質に十分に近いものではなかった。従って、特許文献１のドラムヘッドを演奏練習に用いたとしても、通常のドラムの演奏感覚に近い感覚を得ることができず、その演奏練習を効果的に行うことができない。
【０００９】
この発明は以上のような事情に鑑みてなされたものであり、音量を適度に低減しつつ、アコースティックドラムの演奏感覚に近い感覚を得ることができるドラムヘッドを提供することを目的とする。
【課題を解決するための手段】
【００１０】
この発明は、フレッシュフープに外縁が固定されたメッシュ部と、前記メッシュ部に固着され、前記メッシュ部の一部の領域の通気を妨げるフィルム状のパッチ部と、を有することを特徴とするドラムヘッドを提供する。
【００１１】
この発明によるドラムヘッドがシェルの開口端に張られると、その開口端の開口面におけるメッシュ部によって覆われる領域では、メッシュの隙間を介して空気がシェル内外を移動することができる一方、その開口端の開口面におけるパッチ部によって覆われる領域では、シェル内外の空気の移動がパッチ部によって妨げられる。これにより、メッシュ部では、メッシュ部の振動があまり空気に伝わらず、振動に応じた音があまり発生しない一方、パッチ部では、パッチ部の振動が空気に伝わり、振動に応じた音が発生する。このため、本ドラムヘッドを用いると、全体がフィルム状の通常のドラムヘッドに比べて音量を低減することができ、全体がメッシュ状素材から構成されたドラムヘッドに比べて音量を大きくすることができる。すなわち、本ドラムヘッドを用いると、音量を適度に低減することができる。
【００１２】
また、本ドラムヘッドでは、振動に応じた音が発生する部分であるパッチ部がメッシュ部に固着されているため、メッシュ部に張力がかけられると、パッチ部にもメッシュ部と同様な張力がかかる。これにより、パッチ部に演奏操作を行った際の感触は、通常のドラムヘッドに演奏操作を行った際の感触に近いものとなる。また、パッチ部にも張力がかかることで、演奏操作によるパッチ部の振動は、通常のドラムヘッドにおける振動に近いものとなる。すなわち、本ドラムヘッドを用いて演奏すると、通常のドラムの演奏感覚に近い感覚を得ることができる。
【００１３】
従って、この発明によるドラムヘッドによれば、音量を適度に低減しつつ、アコースティックドラムの演奏感覚に近い感覚を得ることができる。
【図面の簡単な説明】
【００１４】
【図１】この発明の第１実施形態であるドラムヘッド１の構成を示す平面図である。
【図２】ドラムヘッド１の構成を示す断面図である。
【図３】ドラムヘッド１の断面の一部を拡大して示す断面図である。
【図４】ドラムヘッド１が張られたドラムの断面の一部を示す断面図である。
【図５】この発明の第２実施形態であるドラムヘッド１Ａの構成を示す平面図である。
【図６】この発明の第３実施形態であるドラムヘッド１Ｂの構成を示す平面図である。
【図７】第１実施形態のドラムヘッド１を用いたドラムの一例であるドラムＣの構成を示す断面図である。
【図８】第１実施形態のドラムヘッド１を用いたドラムの他の例であるドラムＤの構成を示す断面図である。
【図９】ドラムヘッド６側を見たドラムＤの平面図である。
【図１０】この発明の第６実施形態であるドラムヘッド１Ｅの構成を示す平面図である。
【図１１】ドラムヘッド１Ｅの断面の一部を示す断面図である。
【図１２】この発明の第７実施形態であるドラムヘッド１Ｆの断面の一部を示す断面図である。
【発明を実施するための形態】
【００１５】
以下、図面を参照し、この発明の実施形態について説明する。
＜第１実施形態＞
図１は、この発明の第１実施形態であるドラムヘッド１の構成を示す平面図である。図２は、ドラムヘッド１の構成を示す断面図である。図３は、ドラムヘッド１の断面の一部を拡大して示す断面図である。ドラムヘッド１は、例えば、タムやスネアやバスドラムなどのドラムにおける筒状のシェルの開口端に張られる部材である。
【００１６】
ドラムヘッド１は、メッシュ部１０、パッチ部２０およびフレッシュフープ３０を有する。フレッシュフープ３０は、内径がシェルの外径よりも大きなリング状の部材である。フレッシュフープ３０の周方向に対して垂直な断面形状は、略Ｕ字状となっている（図３参照）。フレッシュフープ３０は、例えば、アルミニウム製である。フレッシュフープ３０のリングの内側には、メッシュ部１０およびパッチ部２０が配置されている。
【００１７】
メッシュ部１０は、通気性を有するメッシュ状の部材である。より詳細には、メッシュ部１０は、線径２００μｍ程度のポリエステル（より具体的にはポリエチレンテレフタレート）製の線材を開口率５０％程度で編んだものである。メッシュ部１０は、例えば、平織りで編んだものであるが、あや織で編んだものであっても良い。メッシュ部１０は、円形に加工され、その外縁付近が曲げられた椀状に加工されている。
【００１８】
メッシュ部１０の外縁は、断面がＵ字形のフレッシュフープ３０の内側に挿入されて接着剤によってフレッシュフープ３０に固定される。これにより、メッシュ部１０は、フレッシュフープ３０によって保持される。なお、メッシュ部１０の外縁は、フレッシュフープ３０内に挿入された部分がフレッシュフープ３０によって機械的に圧着されることでフレッシュフープ３０に固定されても良い。
【００１９】
パッチ部２０は、通気性を有さないフィルム状の部材である。パッチ部２０は、例えば厚さが２５０μｍのポリエステル（より具体的にはポリエチレンテレフタレート）製のフィルムである。パッチ部２０は、円形に加工されている。パッチ部２０の直径は、メッシュ部１０の直径の約１／２であり、ドラムヘッド１が張られるシェルの内径の１／２となっている。パッチ部２０は、演奏者によって演奏操作（具体的には打撃）が行われる打面２１を有する。パッチ部２０は、打面２１とは反対側の面がメッシュ部１０における椀の外側面に対向するように配置されている。パッチ部２０は、パッチ部２０の中心とメッシュ部１０の中心が重なる位置、すなわち、ドラムヘッド１の中央に配置されている。パッチ部２０は、フィルム状の部材であるためメッシュ部よりも剛性が高い。
【００２０】
パッチ部２０は、メッシュ部１０と一体となって変形可能なようにメッシュ部１０に固着されている。より詳細には、パッチ部２０は、メッシュ部１０とパッチ部２０との間にホットメルトシートを配置した状態で熱プレスされてメッシュ部１０に熱溶着される。パッチ部２０におけるメッシュ部１０側の全面がメッシュ部１０に熱溶着されているのが好ましい。なお、パッチ部２０は、熱溶着に限らず、各種の接合方法によってメッシュ部１０に固着されても良い。
【００２１】
図４は、ドラムヘッド１がシェル５０の開口端５１に張られたドラムの断面の一部を示す断面図である。ドラムヘッド１は、シェル５０の開口面を塞ぐように、打面２１側を外側に向けた姿勢でシェル５０の開口端５１上に配置される。開口端５１上に配置されたドラムヘッド１のフレッシュフープ３０上には、リング状のフープ６０が配置される。フープ６０は、フレッシュフープ３０の外周面よりも外側に張り出す部分を有する。フープ６０における外側に張り出した部分には、貫通穴６２が設けられている。貫通穴６２には、棒状のチューニングピン７０が挿入される。チューニングピン７０の一端側は、貫通穴６２の開口面よりも広くなっており、フープ６０の上面に接触する。チューニングピン７０の他端側の側面にはネジ山が施されており、この他端側は、シェル５０の外周面に固定されたラグ５２のネジ溝に組み合わされる。
【００２２】
チューニングピン７０は、右ねじが進むような方向に回されると、フープ６０およびフレッシュフープ３０を下方（ラグ５２に向かう方向）へ押し下げる。フレッシュフープ３０が押し下げられると、メッシュ部１０は、開口端５１に押し付けられる。そして、メッシュ部１０には、中央から外縁に向かう方向に力が与えられる。パッチ部２０とメッシュ部１０とが熱溶着されているため、パッチ部２０にも中央から外縁に向かう方向に力が与えられる。これにより、メッシュ部１０およびパッチ部２０は、チューニングピン７０の回転量に応じた張力でシェル５０の開口端５１に張られる。
【００２３】
メッシュ部１０およびパッチ部２０がシェル５０の開口端５１に張られると、開口端５１の開口面は、メッシュ部１０とパッチ部２０とによって覆われる。開口端５１の開口面におけるメッシュ部１０によって覆われる領域では、メッシュの隙間を介して空気がシェル５０内外を移動することができる。一方、開口端５１の開口面におけるパッチ部２０によって覆われる領域では、シェル５０内外の空気の移動がパッチ部２０によって妨げられる。すなわち、パッチ部２０は、メッシュ部２０がシェル５０の開口端５１に張られた際に開口端５１の開口面の一部の領域の通気を妨げる遮蔽部である。
【００２４】
シェル５０の開口端５１に張られたパッチ部２０の打面２１に演奏操作（具体的には打撃）が行われると、パッチ部２０とメッシュ部１０とが一体となって振動する。メッシュ部１０ではメッシュの隙間において空気が通るため、メッシュ部１０の振動は、空気にあまり伝わらない。このため、メッシュ部１０は、振動してもその振動に応じた音をあまり放射しない。一方、パッチ部２０は通常のドラムヘッドと同様に通気性のないフィルムであるため、パッチ部２０の振動は、通常のドラムヘッドと同様に、空気に良く伝わる。このため、パッチ部２０は、通常のドラムヘッドと同様な挙動の振動を行い、その振動に応じた音を放射する。
【００２５】
メッシュ部１０は音をあまり放射せず、パッチ部２０は振動に応じた音を放射するため、本実施形態のドラムヘッド１を用いると、全体がフィルム状の通常のドラムヘッドに比べて音量を低減することができ、全体がメッシュ状素材から構成されたドラムヘッドに比べて音量を大きくすることができる。このため、本実施形態のドラムヘッド１によれば、演奏操作を行ったときのドラム音の音量を、近隣の迷惑にならない程度に小さな音量であり、かつ、演奏者に不満を与えない程度に大きな音量にすることができる。すなわち、本実施形態のドラムヘッド１によれば、ドラム音の音量を適度に低減することができる。
【００２６】
また、ドラムヘッド１では、打面２１を有するパッチ部２０は通常のドラムヘッドと同様なフィルム状の部材であり、メッシュ部１０に張力がかけられると、パッチ部２０にも同様な張力がかかる。このため、ドラムヘッド１によれば、パッチ部２０に演奏操作を行った際の感触が、通常のドラムヘッドに演奏操作を行った際の感触に極めて近いものとなる。また、フィルム状のパッチ部２０にも張力がかかることで、演奏操作によるパッチ部２０の振動は、通常のドラムヘッドにおける振動に近いものとなる。このため、ドラムヘッド１が張られたドラム音の音質は、通常のドラムヘッドが張られたドラム音の音質に近いものとなる。すなわち、本実施形態のドラムヘッド１を用いて演奏すると、演奏者は、通常のドラムの演奏感覚に近い感覚を得ることができる。
【００２７】
従って、本実施形態のドラムヘッド１によれば、音量を適度に低減しつつ、アコースティックドラムの演奏感覚に近い感覚を得ることができる。
【００２８】
また、ドラムヘッド１のパッチ部２０は、演奏者が演奏操作を一般に行うドラムヘッド１の中央に設けられている。このため、演奏者は、パッチ部２０の打面２１への演奏操作を違和感なく行うことができる。
【００２９】
また、本実施形態のドラムヘッド１のパッチ部２０は、円形に加工されており、ドラムヘッド１の中央においてメッシュ部１０に熱溶着されている。このように、パッチ部２０はドラムヘッド１に対して同心円状の形状となっており、ドラムヘッド１はその周方向に回転対称性を有しているため、パッチ部２０には、均一に張力がかかる。このことから、ドラムヘッド１では、パッチ部２０の振動を通常のドラムヘッドの振動により近づけることができる。
【００３０】
＜第２実施形態＞
図５は、この発明の第２実施形態であるドラムヘッド１Ａの構成を示す平面図である。本実施形態のドラムヘッド１Ａは、パッチ部２０に代えてパッチ部２０Ａを有する点において第１実施形態のドラムヘッド１と異なる。パッチ部２０Ａは、パッチ部２０よりも径が小さい点においてパッチ部２０と異なる。より詳細には、パッチ部２０Ａの直径は、メッシュ部１０の直径の約１／３であり、ドラムヘッド１Ａが張られるシェルの内径の１／３となっている。
【００３１】
本実施形態のドラムヘッド１Ａでは、第１実施形態のドラムヘッド１と同様に、メッシュ部１０においてあまり音を放射しない一方、パッチ部２０Ａにおいて振動に応じた音をよく放射する。このため、本実施形態においても第１実施形態と同様の効果が得られる。
【００３２】
また、ドラムヘッド１Ａでは、メッシュ部１０の面積に対するパッチ部２０Ａの面積の割合がドラムヘッド１に比べて小さくなっている。このため、ドラムヘッド１Ａを用いたドラム音は、ドラムヘッド１を用いたドラム音よりも小さくなり、かつ、全体がメッシュ状素材で構成されたドラムヘッドを用いたドラム音よりも大きくなる。このことから、演奏者は、第１実施形態のドラムヘッド１を用いたドラム音では音量が大きいと感じた場合には、第２実施形態のドラムヘッド１Ａに付け替えて演奏を行えば良い。これにより、演奏者は、より適切な音量で演奏を行うことができる。
【００３３】
また、ドラムヘッド１Ａでは、通常のドラムヘッドと同様に振動するパッチ部２０Ａの面積がドラムヘッド１に比べて小さくなるため、通常のドラムヘッドを用いたドラム音の音質からの音質の差異がドラムヘッド１よりも大きくなる。このため、演奏者は、演奏環境、ドラム音の音量およびドラム音の音質を総合的に考慮して、シェルに張るドラムヘッドを選べば良い。
【００３４】
＜第３実施形態＞
図６は、この発明の第３実施形態であるドラムヘッド１Ｂの構成を示す平面図である。本実施形態のドラムヘッド１Ｂは、パッチ部２０に代えてパッチ部２０Ｂを有する点において第１実施形態のドラムヘッド１と異なる。
【００３５】
パッチ部２０Ｂは、その形状がパッチ部２０と異なる。より詳細には、パッチ部２０Ｂにおける図６の左右方向の長さは、メッシュ部１０の直径の１／２よりも長くなっており、パッチ部２０Ｂにおける図６の上下方向の長さは、メッシュ部１０の直径の１／２よりも短くなっている。すなわち、パッチ部２０Ｂは、円形のパッチ部２０を図６の左右方向に伸ばしつつ上下方向に扁平にした形状となっている。
【００３６】
本実施形態のドラムヘッド１Ｂでは、第１実施形態のドラムヘッド１と同様に、メッシュ部１０においてあまり音を放射しない一方、パッチ部２０Ｂにおいて振動に応じた音をよく放射する。このため、本実施形態においても第１実施形態と同様の効果が得られる。
【００３７】
また、両手を使ってドラムを演奏する場合、演奏者は、通常、右手のスティックでドラムヘッドの中央よりも向かって右寄りの位置を叩き、左手のスティックで中央よりも向かって左寄りの位置を叩く。本実施形態のドラムヘッド１Ｂでは、パッチ部２０Ｂが図６の左右方向に広がっているため、パッチ部２０Ｂの中央よりも向かって右寄りあるいは左寄りの位置を叩くような両手を使った演奏において打撃がパッチ部２０Ｂから外れるのを減らすことができる。
【００３８】
＜第４実施形態＞
図７は、第１実施形態のドラムヘッド１を用いたドラムの一例であるドラムＣの構成を示す断面図である。ドラムＣのシェル５０の一方の開口端５１には、第１実施形態のドラムヘッド１が張られており、他方の開口端５３には、通常のドラムヘッド５が張られている。ドラムＣでは、ドラムヘッド１がバターヘッドとして機能し、ドラムヘッド５がレゾナンスヘッドとして機能する。
【００３９】
ドラムＣのドラムヘッド１のパッチ部２０に演奏操作が与えられると、メッシュ部１０の振動はシェル５０内の空気にあまり伝わらない一方、パッチ部２０の振動はシェル５０内の空気によく伝わる。パッチ部２０の振動に起因してシェル５０内の空気が振動すると、その空気の振動に応じてレゾナンスサイドのドラムヘッド５も振動する。ドラムＣのレゾナンスサイドのドラムヘッド５の振動は、全体がフィルム状の通常のドラムヘッドがバターサイドに配置された場合のレゾナンスヘッドの振動に比べて小さく、全体がメッシュ状素材から構成されたドラムヘッドがバターヘッドに配置された場合のレゾナンスヘッドの振動に比べて大きい。
【００４０】
本実施形態のドラムＣには第１実施形態のドラムヘッド１が張られているため、本実施形態においても第１実施形態と同様の効果が得られる。また、本実施形態のドラムＣでは、パッチ部２０の振動に応じてレゾナンスサイドのドラムヘッド５も振動するため、適度な音量のサステインが適度に持続する。このため、ドラムＣによれば、ドラム音の音量を適度に低減しつつ、レゾナンスサイドにドラムヘッド５を張っていないドラムに比べて通常のドラム音の音色により近い音色のドラム音を得ることができる。
【００４１】
＜第５実施形態＞
図８は、第１実施形態のドラムヘッド１を用いたドラムの他の例であるドラムＤの構成を示す断面図である。ドラムＤは、スネアドラムである。ドラムＤのシェル５０Ｄのバターサイドの開口端５１Ｄには、第１実施形態のドラムヘッド１が張られており、スネアサイドの開口端５３Ｄには、スネア用の通常のドラムヘッド６が張られている。図９は、ドラムヘッド６側を見たドラムＤの平面図である。ドラムＤには、ドラムヘッド６に接触するようにスナッピー（響線）７が設けられている。
【００４２】
本実施形態のドラムＤには第１実施形態のドラムヘッド１が張られているため、本実施形態においても第１実施形態と同様の効果が得られる。また、本実施形態のドラムＤでは、第４実施形態のドラムＣと同様に、ドラムヘッド１のパッチ部２０の振動に応じてスネアサイドのドラムヘッド６が適度に低減された大きさで振動する。ドラムヘッド６が振動すると、ドラムヘッド６とスナッピー７とが互いに衝突してスネアらしい響きが生じる。ドラムＤでは、ドラムヘッド６が適度に低減された大きさで振動するため、ドラムヘッド６とスナッピー７との衝突に起因する音も適度に低減されたものとなる。このため、ドラムＤによれば、ドラム音の音量を適度に低減しつつ、通常のスネアドラムの音色に近い音色のドラム音を得ることができる。なお、演奏者は、スナッピー７による響きのサステインを短くするためにドラムヘッド１をミュートする演奏方法を行っても良い。
【００４３】
＜第６実施形態＞
図１０は、この発明の第６実施形態であるドラムヘッド１Ｅの構成を示す平面図である。図１１は、ドラムヘッド１Ｅの断面の一部を示す断面図である。ドラムヘッド１Ｅは、パッチ部２０に代えてパッチ部２０Ｅを、メッシュ部１０に代えてメッシュ部１０Ｅを有する点において第１実施形態のドラムヘッド１と異なる。パッチ部２０Ｅは、パッチ部２０Ｅの表裏を貫通する複数の小穴２２Ｅを有する点においてパッチ部２０と異なる。メッシュ部１０Ｅは、パッチ部２０Ｅの小穴２２Ｅを延長した位置に同様の小穴１２Ｅを有する点においてメッシュ部１０と異なる。
【００４４】
小穴１２Ｅおよび２２Ｅは、メッシュ部１０Ｅおよびパッチ部２０Ｅを貫通するようにあいている。小穴１２Ｅおよび２２Ｅの直径は、メッシュ部１０Ｅとパッチ部２０Ｅとを合わせた厚さの５倍程度であり、例えば、２ｍｍである。小穴１２Ｅおよび２２Ｅは、三角格子状に配置されており、隣り合う小穴１２Ｅおよび２２Ｅとのピッチは、例えば１５ｍｍである。
【００４５】
メッシュ部１０Ｅおよびパッチ部２０Ｅが振動すると、空気が小穴１２Ｅおよび２２Ｅを通過する。小穴１２Ｅおよび２２Ｅの開口径が小さいため、空気が小穴１２Ｅおよび２２Ｅを通過することで、メッシュ部１０Ｅの内側面近傍とパッチ部２０Ｅの打面２１近傍とに、いわゆるオリフィス効果と呼ばれる圧力差が生じる。この圧力差によって、メッシュ部１０Ｅおよびパッチ部２０Ｅには、その振動を妨げるダンピングロスが与えられる。その結果、メッシュ部１０Ｅおよびパッチ部２０Ｅの振動は、小穴１２Ｅおよび２２Ｅが設けられていない場合に比べて早く減衰する。従って、ドラムヘッド１Ｅを用いれば、ドラム音を適度に低減しつつ、サステインを短くする音色調整を行うことができる。
【００４６】
ドラムヘッド１Ｅは、例えば、スネアドラムのバターヘッドとして用いられる。この態様では、メッシュ部１０Ｅおよびパッチ部２０Ｅの振動が早く減衰するため、スネアサイドヘッドの振動も早く減衰し、スネアサイドヘッドとスナッピーとの衝突によって生じる音も早く減衰する。従って、ドラムヘッド１Ｅをスネアドラムに用いた場合、ドラム音の音量を適度に低減しつつ、スナッピーに起因する音のサステインも短くすることができる。
【００４７】
＜第７実施形態＞
図１２は、この発明の第７実施形態であるドラムヘッド１Ｆの断面の一部を示す断面図である。ドラムヘッド１Ｆは、パッチ部２０に代えてパッチ部２０Ｆを有する点において第１実施形態のドラムヘッド１と異なる。パッチ部２０Ｆは、メッシュ部１０における椀の内側面側においてメッシュ部１０に熱溶着されている点においてパッチ部２０と異なる。本実施形態においても、第１実施形態と同様の効果が得られる。
【００４８】
＜他の実施形態＞
以上、この発明の各実施形態について説明したが、この発明には他にも実施形態が考えられる。例えば次の通りである。
【００４９】
（１）第１実施形態のドラムヘッド１では、パッチ部２０の直径がメッシュ部１０の直径の約１／２であり、第２実施形態のドラムヘッド１Ａでは、パッチ部２０Ａの直径がメッシュ部１０の直径の約１／３であった。しかし、メッシュ部の径に対するパッチ部の径は、これらの態様に限らない。また、第１および第２実施形態のパッチ部２０および２０Ａの形状は円形であり、第３実施形態のパッチ部２０Ｂの形状は扁平した円形であった。しかし、パッチ部の形状はこれらの形状に限らない。例えば、パッチ部の形状はリング状であっても良い。また、第１〜第３実施形態のパッチ部２０〜２０Ｂは、パッチ部２０〜２０Ｂの中心とメッシュ部１０の中心が重なる位置に配置されていた。しかし、パッチ部は、パッチ部の中心がメッシュ部１０の中心から偏心するように配置されても良い。また、第１〜第３実施形態のパッチ部２０〜２０Ｂは、メッシュ部１０の中心を含む領域に配置されていた。しかし、パッチ部は、メッシュ部１０の中心を含まないように配置されても良い。例えば、パッチ部は、パッチ部の外周よりも外側にメッシュ部１０の中心が位置する程度に偏心して配置されても良いし、リング状に構成され、そのリングの内側領域にメッシュ部１０の中心が位置するように配置されても良い。すなわち、メッシュ部が張られるシェルの開口端の開口面の面積よりもパッチ部の面積が小さければ良い。その開口面の面積よりもパッチ部の面積が小さければ、シェル内外の空気がメッシュ部を介して通過する一方、シェル内外の空気の通過がパッチ部によって妨げられるからである。
【００５０】
（２）第１実施形態のドラムヘッド１では、パッチ部２０におけるメッシュ部１０に対向する面の全面においてメッシュ部１０に固着されていた。しかし、パッチ部２０は、メッシュ部１０に対向する面の一部においてメッシュ部１０に固着されていても良い。この場合、パッチ部２０は、少なくともパッチ部２０の周縁がメッシュ部１０に固着されているのが好ましい。パッチ部２０の周縁からメッシュ部の外縁に向かってかかる張力がパッチ部２０の周方向で均一になるからである。また、メッシュ部は、パッチ部の直径よりも内径が小さいリング状に加工されていても良い。この態様では、パッチ部は、メッシュ部のリングの内側領域を塞ぐように配置されてメッシュ部に固着されていれば良い。また、この態様では、パッチ部に設ける小穴とメッシュ部のリングの内側領域とを通ってシェル内外の空気を移動させることができるため、パッチ部に小穴を設けるだけでオリフィス効果を生じさせることができる。
【００５１】
（３）第１実施形態のドラムヘッド１のパッチ部２０は、メッシュ部１０に固着されたフィルム状の部材であり、メッシュ部１０がシェル５０の開口端５１に張られた際に開口端５１の開口面の一部の領域の通気を妨げる部材である。このフィルム状のパッチ部によって実現される機能をフィルム状のパッチ部以外の態様で実現しても良い。例えば、メッシュ部におけるシェルの開口面よりも小さな領域において樹脂（例えば熱硬化性樹脂）を含浸させて硬化（例えば熱硬化）させても良い。このような加工によって、メッシュの隙間を埋めることができる。すなわち、この例のドラムヘッドは、メッシュ部におけるシェルの開口端の開口面の一部を覆う領域のメッシュの隙間を、硬化させた樹脂（例えば熱硬化性樹脂）によって埋めたものであっても良い。この態様では、硬化した樹脂がメッシュに固着されており、硬化した樹脂によってメッシュの隙間を介した通気が妨げられる。このため、この態様においても第１実施形態と同様の効果が得られる。ただし、熱硬化性樹脂によってメッシュの隙間を埋めた態様のドラムヘッドに演奏操作を行ったときの感触に比べ、フィルム状のパッチ部に演奏操作を行ったときの感触の方が、フィルム状部材で構成される通常のドラムヘッドに演奏操作を行ったときの感触に近くなるため、フィルム状のパッチ部をメッシュ部に固着させた態様の方がより好ましい。
【００５２】
（４）第４本実施形態のドラムＣでは、バターサイドに第１実施形態のドラムヘッド１が張られており、レゾナンスサイドに通常のドラムヘッド５が張られていた。しかし、シェル５０に張るドラムヘッドの組み合わせは、これに限らない。例えば、バターサイドに第２実施形態のドラムヘッド１Ａを張り、レゾナンスサイドに通常のドラムヘッド５を張っても良い。第５実施形態のドラムＤも同様である。演奏者は、シェルに張るドラムヘッドを演奏環境や好みに合わせて自由に選べば良い。
【００５３】
（５）上記各実施形態および各変形例の技術的特徴を適宜組み合わせても良い。
【符号の説明】
【００５４】
１，１Ａ，１Ｂ，１Ｅ，１Ｆ…ドラムヘッド、１０，１０Ｅ…メッシュ部、２０，２０Ａ，２０Ｂ，２０Ｅ，２０Ｆ…パッチ部、２１…打面、１２Ｅ，２２Ｅ…小穴、３０…フレッシュフープ、５０，５０Ｄ…シェル、５１，５１Ｄ，５３Ｄ…開口端、５２…ラグ、６０…フープ、６２…貫通穴、７０…チューニングピン。
【図１】
2018045174.tif 000003
【図２】
2018045174.tif 000004
【図３】
2018045174.tif 000005
【図４】
2018045174.tif 000006
【図５】
2018045174.tif 000007
【図６】
2018045174.tif 000008
【図７】
2018045174.tif 000009
【図８】
2018045174.tif 000010
【図９】
2018045174.tif 000011
【図１０】
2018045174.tif 000012
【図１１】
2018045174.tif 000013
【図１２】
2018045174.tif 000014